(57)【要約】【課題】消耗品の残量や印刷枚数を表示するためには、ハードキーやソフトキーの操作が必要となるために、管理者は、他の業務に忙しかったりすると、これらのチェックを怠たり勝ちになる。本発明は、キー操作等が行なわれなくても、管理者などの特定のユーザにのみ消耗品の残量や印刷枚数などの機器の使用状況を表示する画像処理装置を提供する。【解決手段】本発明の画像処理装置は、機器の使用状況を管理する管理手段と、無線で受信したデータに基づいて、正当なユーザかどうかを判定する判定手段と、正当なユーザであると判定された場合、上記機器の使用状況を表示する表示手段を備える。従って、管理者等のネームプレートに埋め込まれたＩＣタグから送信されたデータに基づいて上記判定手段が正当なユーザであると判定するようにすれば、管理者が画像処理装置の近くを通るだけで、機器の使用状況が表示される。【選択図】  図１
2005338508.tif 000002
【特許請求の範囲】
【請求項１】
機器の使用状況を管理する管理手段と、
無線で受信したデータに基づいて、正当なユーザかどうかを判定する判定手段と、
正当なユーザであると判定された場合、上記機器の使用状況を表示する表示手段を備えたことを特徴とする画像処理装置。
【請求項２】
上記管理手段は、上記機器の使用状況を部門毎に管理し、
上記判定手段は、受信したデータから部門コードを抽出し、
上記表示手段は、抽出された部門コードに対応する機器の使用状況を表示する請求項１に記載の画像処理装置。
【発明の詳細な説明】
【技術分野】
【０００１】
本発明は、特定のユーザにのみ機器の使用状況を表示する画像処理装置に関する。
【背景技術】
【０００２】
オフィスでは、プリンタ、ＦＡＸ、複写機、複合機等の画像処理装置は、管理者によって保守・管理されている。管理者は、トナーや用紙等の消耗品の残量をこまめにチェックして消耗品を切らさないように補充したり、各部門の印刷枚数をこまめにチェックして無駄な印刷をしている部門がないかどうかを管理したりする。
【０００３】
消耗品の残量や各部門の印刷枚数は、画像処理装置に設けられたハードキーや、操作パネルに表示されるソフトキーを操作して、管理者のＩＤを入力したり、消耗品の残量や印刷枚数の表示の指示を入力したりすると、画像処理装置のパネルに表示される。
【発明の開示】
【発明が解決しようとする課題】
【０００４】
消耗品の残量や印刷枚数を表示するためには、ハードキーやソフトキーの操作が必要となるために、管理者は、他の業務に忙しかったりすると、これらのチェックを怠たり勝ちになる。
【０００５】
また、消耗品の残量や印刷枚数は、管理者以外のユーザは知る必要がないので、管理者以外のユーザに対してこのような情報を表示する必要がない。
【０００６】
そこで、本発明は、キー操作等が行なわれなくても、管理者などの特定のユーザにのみ消耗品の残量や印刷枚数などの機器の使用状況を表示する画像処理装置を提供する。
【課題を解決するための手段】
【０００７】
本発明の画像処理装置は、無線で受信したデータに基づいて、正当なユーザかどうかを判定する判定手段と、正当なユーザであると判定された場合、上記機器の使用状況を表示する表示手段を備える。
【０００８】
従って、管理者等のネームプレートに埋め込まれたＩＣタグから送信されたデータに基づいて上記判定手段が正当なユーザであると判定するようにすれば、管理者が画像処理装置の近くを通るだけで、機器の使用状況が表示され、管理者以外のユーザが画像処理装置の近くを通っても機器の使用状況が表示されないようにすることができる。
【０００９】
また、機器の使用状況を管理する管理手段で、部門毎に機器の使用状況を管理するようにすれば、管理者のＩＣタグ等のから送信されたデータの内容に基づいて、管理者が担当する部門の機器の使用状況を表示することができる。
【発明の効果】
【００１０】
以上のように、本発明の画像処理装置は、画像処理装置の近くを通るだけで、機器の使用状況を表示するので、管理者は、他の業務に忙しくても画像処理装置の近くを通る際に、機器の使用状況をチェックすることができる。
【発明を実施するための最良の形態】
【００１１】
本実施の形態では、本発明の画像処理装置がオフィスに導入された場合について説明する。図１は、本実施の形態における画像処理装置１００の機能ブロック図である。
【００１２】
図１に示すように、画像処理装置１００は、ＩＣタグ等からのデータを無線で受信する受信手段１０１を備える。上記受信手段１０１は、受信したデータを判定手段１０２に入力する（図３、Ｓ３０１）。
【００１３】
上記判定手段１０２は、図２に示す判定テーブル２０１を保持しており、入力されたデータが上記判定テーブル２０１に保持されたものかどうかを確認する。図２に示すように、上記判定テーブル２０１は、画像処理装置１００の保守・管理や、自分の担当する部門に所属する社員が画像処理装置１００で印刷した印刷枚数を管理する管理者のユーザ識別番号が記述されている。ユーザ識別番号とは、画像処理装置１００が導入されたオフィスで働く社員を識別するための番号であり、各社員のネームプレート１２１に埋め込まれたＩＣタグ１２２から発信されるものである。
【００１４】
上記判定テーブル２０１に記述されたユーザ識別番号は、図２に示すように、各ユーザ識別番号の各管理者が担当する部門の部門コードが対応付けて記述されている。
【００１５】
上記判定手段１０２は、上記受信手段１０１からデータが入力されると、そのデータが上記判定テーブル２０１に記述されたユーザ識別番号であれば正当なユーザと判定する（図３、Ｓ３０２）。
【００１６】
上記判定手段１０２は、正当なユーザと判定すると、上記受信手段１０１から入力されたデータと対応付けて上記判定テーブル２０１に記述された部門コードを表示手段１０３に入力する（図３、Ｓ３０３）。
【００１７】
上記表示手段１０３は、部門コードが入力されると、入力された部門コードに対応する機器の使用状況を管理手段１０４に問い合わせる（図３、Ｓ３０４）。
【００１８】
上記管理手段１０４は、画像処理装置に装填されたトナーカートリッジのトナーの残量をトナーセンサ１１１で管理したり、給紙カセットに収納されている用紙の残量を用紙センサ１１２で管理したり、各部門に所属する社員が画像処理装置１００を使用して印刷した印刷枚数を管理したりしている。
【００１９】
本実施の形態の画像処理装置１００は、印刷の際には、部門コードの入力をユーザに要求するようになっている。上記管理手段１０４は、印刷が行われると、印刷された枚数をカウントし、カウントした枚数を印刷の際に入力された部門コードの印刷枚数に加算することで、部門毎に印刷枚数を管理している。
【００２０】
上記管理手段１０４は、上記表示手段１０３から部門コードに対応する機器の使用状況が問い合わされると、トナーと用紙の残量及び、問合せの対象となった部門コードに対応する部門の印刷枚数を上記表示手段１０３に通知する（図３、Ｓ３０５）。
【００２１】
上記通知手段１０３は、トナーと用紙の残量及び、印刷枚数が通知されると、通知されたトナーと用紙の残量及び印刷枚数を表示パネル１０５に表示する（図３、Ｓ３０６）。
【００２２】
従って、管理者は、ネームプレート１２１に埋め込まれたＩＣタグ１２２から発信されたデータが上記受信手段１０１に受信される範囲内に移動するだけで、トナーと用紙の残量及び、自分の担当する部門の印刷枚数が表示されるので、他の業務に忙しくても、画像形成装置１００の近くを通る際に、トナーと用紙の残量や、自分の担当する部門の印刷枚数のチェックをすることができる。
【００２３】
また、上記判定手段１０２は、上記受信手段１０１から入力されたデータが上記判定テーブル２０１に記述されていない場合、正当でないユーザと判定する（図３、Ｓ３０３）。正当でないユーザと判定した場合、上記判定手段１０２は、正当なユーザと判定した場合のように部門コードを上記表示手段１０３に入力しない（図３、Ｓ３０３→おわり）。そのため、管理者以外の社員が画像処置装置１００の近くに行っても機器の使用状況が表示されることがない。
【図面の簡単な説明】
【００２４】
【図１】画像処理装置の機能ブロック図。
【図２】判定テーブルの概念図。
【図３】機器の使用状況を表示させるフロー図。
【符号の説明】
【００２５】
１００  画像処理装置
１０１  受信手段
１０２  判定手段
１０３  表示手段
１０４  管理手段
１０５  表示パネル
１２１  ネームプレート
１２２  ＩＣタグ
２０１  判定テーブル
【図１】
2005338508.tif 000003
【図２】
2005338508.tif 000004
【図３】
2005338508.tif 000005